(57)【要約】【課題】  本発明は、遠隔的に易断鑑定を提供するシステムに関するものであって、特に依頼者が撮影した身体情報をもとに専門家が肉眼で判断するなどして易断鑑定を提供する遠隔型易断鑑定システムに係るものである。【解決手段】  本発明の遠隔型易断鑑定システムＳは、依頼者サイトＳ１には、手のひら面等の判定資料Ｐを送信するクライアント情報端末装置５を具え、一方の鑑定サイトＳ２には、受信保存装置１０と易断結果出力装置２とを具えて成り、前記判定資料Ｐは、立体認識できる画像情報を含むものであり、このものは鑑定者Ｆにより直接肉眼観察を受けるなどして判定要素ｆを判断され、その結果を易断結果出力装置２に入力し、これに応じた易断鑑定結果３を鑑定者Ｆの実撮像等の告知映像３２と音声または文字などと伴なってクライアント情報端末装置５に出力して擬似的な対面告知するようにしたことを特徴とした遠隔型易断鑑定システム。【選択図】図１
2006127286.tif 000002
【特許請求の範囲】
【請求項１】
依頼者サイトと、鑑定サイトとを具えたシステムであり、この依頼者サイトは、手のひら面等の身体的特徴などを含む易断鑑定のための判定資料を取り込み送信するクライアント情報端末装置を具えて成り、一方の鑑定サイトは、この送信された判定資料を受信し保存する受信保存装置と、手相等の判定要素に基づく易学判断を体系的に記憶し、手相等の判定要素の入力に応じて必要な易断鑑定結果を出力する易断結果出力装置とを具えて成り、前記送信された判定資料は、少なくとも依頼者側のクライアント情報端末装置を用いて手のひら面等の身体情報を立体認識できる状態に撮像した画像情報を含むものであり、また前記受信保存装置は、易断鑑定ブースに設置され、この受信保存装置に入力された前記判断資料は、この易断鑑定ブースにおいて、鑑定者により直接肉眼観察を受けて手相等の判定要素を判断され、又はコンピュータによる解析に基づく擬似的な肉眼観察を受けて手相等の判定要素を判断され、その判断された結果である視覚判定を易断結果出力装置に入力し、この入力に応じて易断結果出力装置は、この視覚判定に応じた易断鑑定結果を鑑定者の実撮像に基づく動画又は鑑定者のイメージを有する動画を伴い、音声または文字のいずれか一方または双方とによりクライアント情報端末装置に出力して擬似的な対面形式によってその内容を告知するようにしたことを特徴とした遠隔型易断鑑定システム。
【請求項２】
前記判定資料は、動画形式の画像であり、更に依頼者固有の文字形式の情報を含むものであることを特徴とする請求項１記載の遠隔型易断鑑定システム。
【請求項３】
前記易断鑑定結果は、その提供にあたっては鑑定が完了したことを依頼者に通知し、その後利用者の要求に応じて易断鑑定結果を配信することを特徴とする請求項１または２記載の遠隔型易断鑑定システム。
【請求項４】
前記易断鑑定結果は、この易断鑑定結果に関連する情報である付加情報を含むことを特徴とする請求項１、２または３記載の遠隔型易断鑑定システム。
【請求項５】
前記依頼者サイトに具えられているクライアント情報端末は、依頼者が自らの手のひら面等の身体情報を撮影し判定資料とする入力機能と、この判定資料をネットワークを介して遠隔型易断鑑定システムに送信するため送信機能とを有する画像入力送信装置と、ネットワークを介して遠隔型易断鑑定システムから送られてくる易断鑑定結果の告知データを受信して表示する機能を有する鑑定結果受信装置とを具えていることを特徴とする請求項１、２、３または４記載の遠隔型易断鑑定システム。
【請求項６】
前記クライアント情報端末装置は、カメラ等の画像取込機能を有する移動通信端末であることを特徴とする請求項１、２、 ３、４または５記載の遠隔型易断鑑定システム。
【請求項７】
前記依頼者サイトに具えられているクライアント情報端末は、ネットワークを介してそのカラオケサービスを提供する通信カラオケ設備であることを特徴とする請求項１、２、３、４または５記載の遠隔型易断鑑定システム。
【請求項８】
前記依頼者サイトに具えられているクライアント情報端末は、依頼者が撮影した判定資料を遠隔型易断鑑定システムに対して送信するための判定資料送信ブースと、遠隔型易断鑑定システムよりこの判定資料に基づいて行われた易断鑑定結果の告知データを受信し表示するための易断鑑定告知ブースとを具えることを特徴とする請求項１、２、３、４または５記載の遠隔型易断鑑定システム。
【請求項９】
前記遠隔型易断鑑定システムは、依頼者の属性を示す識別番号を判別し、その依頼者に応じた易断鑑定の内容を提供することができることを特徴とする請求項１、２、 ３、４、５、６、７または８記載の遠隔型易断鑑定システム。
【発明の詳細な説明】
【技術分野】
【０００１】
本発明は、遠隔的に易断鑑定を提供するシステムに関するものであって、特に依頼者が撮影した身体情報をもとに専門家が肉眼で判断するなどして易断鑑定を提供する遠隔型易断鑑定システムに係るものである。
【背景技術】
【０００２】
最近の易断鑑定サービスは、鑑定者（易者などを含む専門家）と利用者とが対面して行う従来の方式以外の方式によってもそのサービスの提供が始められている。例えば、パソコン等を利用した擬似的な対話方式によるものあり、具体的には、所定の情報を入力して占い結果（易断）を導くアプリケーションタイプのものや、更には鑑定者と利用者とを、いわゆるテレビ電話により対面した状況を作り出して占いサービスを提供するものなどがある。
【０００３】
しかしパソコン等のアプリケーションタイプの占いは、対話形式で複数の質問内容とそれに応じた選択肢形式の複数の回答とを予め用意し、利用者が選択した回答の組み合せに応じて予め決めておいた占い結果（易断）を表示させるものであって、鑑定者という存在が極めて薄く半ば心理テストやおみくじのような感しか得られないものになりがちで、利用者は精神的な充足感を得にくいものであった。
これに対して、いわゆるテレビ電話を用いて鑑定者と利用者とを対面させて行う占いサービスは、対面方式と同様の質を維持しつつ地理的な制約を受けることなく占いサービスを提供することが可能であるが、一方で、特に著名な鑑定者ともなると、利用者の希望する時間が集中する場合や、利用者と鑑定者とが時差が生じる国同士にまたがっている場合などの時間的な制約により技術的には可能であっても利用できない場合があった。加えて、このようなテレビ電話を用いた場合の占いサービスは、従来の対面方式と同等の費用になってしまうため、頻繁に利用することはできなかった。
これらのような課題に注目して、近年の情報技術インフラを活用し、例えばカメラ付き携帯電話を用いて手相などの身体の一部を撮影した静止画を占いサービスの提供者に送信し、この静止画を画像解析プログラムにより判断して占い結果を、メール等を用いて通知するサービスが検討されている。
しかし実際の対面方式の手相占いにおいては、鑑定者は手相のいわば強弱等を立体的にそれら細部を観察し、易学的視点から総合的に手相を判断しており、この判断の的確さがその鑑定者の評価対象の一つになっている。
このためコンピュータ等で送られてきた静止画に基づき画像解析を行って一義的に手相を判定するシステムでは、例えば手のひら面に切り傷などがある場合などはその判別が肉眼による判断のように柔軟な判断が行えず、易学的視点から正確な判断といえない場合も生じる（特許文献１）。更に、これに加えて易断結果をメール等により文字やイラストのみによる形式で通知する点からも易断の過程に鑑定者という存在を感じさせないために先に述べたアプリケーションタイプの占いに類似した満足感に限界を感じさせてしまう傾向は否めない。
【特許文献１】特公平６−１０４１４５号
【発明の開示】
【発明が解決しようとする課題】
【０００４】
本発明は、このような背景を認識してなされたものであって、易断鑑定に供するための依頼者の手相等の判定要素を立体的に認識できるように撮影して送信し、鑑定者側では判定要素を立体的に認識した上で判断し、その判断結果を用いて易学判断を導き、更に鑑定者の実撮像等に基づく動画映像を用いて易断的鑑定結果の告知を行う遠隔型易断鑑定システムの開発を試みたものである。
【課題を解決するための手段】
【０００５】
請求項１記載の遠隔型易断鑑定システムは、依頼者サイトと、鑑定サイトとを具えたシステムであり、この依頼者サイトは、手のひら面等の身体的特徴などを含む易断鑑定のための判定資料を取り込み送信するクライアント情報端末装置を具えて成り、一方の鑑定サイトは、この送信された判定資料を受信し保存する受信保存装置と、手相等の判定要素に基づく易学判断を体系的に記憶し、手相等の判定要素の入力に応じて必要な易断鑑定結果を出力する易断結果出力装置とを具えて成り、前記送信された判定資料は、少なくとも依頼者側のクライアント情報端末装置を用いて手のひら面等の身体情報を立体認識できる状態に撮像した画像情報を含むものであり、また前記受信保存装置は、易断鑑定ブースに設置され、この受信保存装置に入力された前記判断資料は、この易断鑑定ブースにおいて、鑑定者により直接肉眼観察を受けて手相等の判定要素を判断され、又はコンピュータによる解析に基づく擬似的な肉眼観察を受けて手相等の判定要素を判断され、その判断された結果である視覚判定を易断結果出力装置に入力し、この入力に応じて易断結果出力装置は、この視覚判定に応じた易断鑑定結果を鑑定者の実撮像に基づく動画又は鑑定者のイメージを有する動画を伴い、音声または文字のいずれか一方または双方とによりクライアント情報端末装置に出力して擬似的な対面形式によってその内容を告知するようにしたことを特徴として成るものである。
【０００６】
請求項２記載の遠隔型易断鑑定システムは、前記要件に加えて、前記判定資料は、動画形式の画像であり、更に利用者固有の文字形式の情報を含むものであることを特徴として成るものである。
【０００７】
請求項３記載の遠隔型易断鑑定システムは、前記要件に加えて、前記易断鑑定結果は、その提供にあたっては鑑定が完了したことを依頼者に通知し、その後利用者の要求に応じて易断鑑定結果を配信することことを特徴として成るものである。
【０００８】
請求項４記載の遠隔型易断鑑定システムは、前記要件に加えて、前記易断鑑定結果は、この易断鑑定結果に関連する情報である付加情報を含むことを特徴として成るものである。
【０００９】
請求項５記載の遠隔型易断鑑定システムは、前記要件に加えて、クライアント情報端末装置は、依頼者が自らの手のひら面等の身体情報を撮影し判定資料とする入力機能と、この判定資料をネットワークを介して遠隔型易断鑑定システムに送信するため送信機能とを有する画像入力送信装置と、ネットワークを介して遠隔型易断鑑定システムから送られてくる易断鑑定結果の告知データを受信して表示する機能を有する鑑定結果受信装置とを具えていることを特徴として成るものである。
【００１０】
請求項６記載の遠隔型易断鑑定システムは、前記要件に加えて、前記クライアント情報端末装置は、カメラ等の画像取込機能を有する移動通信端末であることを特徴として成るものである。
【００１１】
請求項７記載の遠隔型易断鑑定システムは、前記１、２、３、４または５記載の要件に加えて、クライアント情報端末装置は、ネットワークを介してそのカラオケサービスを提供する通信カラオケ設備であることを特徴として成るものである。
【００１２】
請求項８記載の遠隔型易断鑑定システムは、前記前記１、２、３、４または５記載の要件に加えて、クライアント情報端末装置は、依頼者が撮影した判定資料を遠隔型易断鑑定システムに対して送信するための判定資料送信ブースと、遠隔型易断鑑定システムよりこの判定資料に基づいて行われた易断鑑定結果の告知データを受信し表示するための易断鑑定告知ブースとを具えることを特徴として成るものである。
【００１３】
請求項９記載の遠隔型易断鑑定システムＳは、前記要件に加えて依頼者の属性を示す識別番号を判別し、その依頼者に応じた易断鑑定の内容を提供することができることを特徴としてなるものである。
【発明の効果】
【００１４】
請求項１記載の発明によれば、易断鑑定に供する判定要素が立体的に認識できるから易断鑑定が正確になされる。また易断鑑定結果は鑑定者の実撮像に基づく動画を伴ってなされるから、依頼者はあたかも鑑定者本人から対面して易断鑑定結果の告知をされているという感覚と、それに伴う満足感とを得ることができる。加えてこれら一連の体験は、依頼者側では都合の良い時間に自身の手相等の情報を立体認識できるように撮影した映像を遠隔型易断鑑定システムの鑑定サイトに送信するものであるから、易断鑑定を得るにあたって時間的制約等を受けない。
【００１５】
請求項２記載の発明によれば、手相等の身体情報を動画形式で送信するものであるから、静止画に比べてより正確に判断することが可能であり、更に名前や生年月日等の利用者固有の情報を文字形式のデータとして付加することにより、より多面的に易断鑑定をすることができる。
【００１６】
請求項３記載の発明によれば、依頼者（利用者）は、都合の良い時に判定資料を送信し、一方のこの遠隔型易断鑑定システムを運用管理する者（以下、システム運用者という）は、その情報に基づいた易断鑑定が完了したことを利用者に対して通知する。このため利用者はその完了の通知を受けてから、都合のいい時間に再度システムにアクセスし易断鑑定結果を知ることができる。またシステム運用者は、易断鑑定の依頼が集中した場合であっても、利用者との接続を判定資料の受信の時間以上に維持させる必要もなくオフライン状態で順次鑑定作業を進めることができ、通信回線の負担を最小限に抑えることができる。
【００１７】
請求項４記載の発明によれば、依頼者への易断鑑定結果の告知の際、その告知内容をより具体的に補足する例えばラッキーカラーやラッキーアイテムなどの情報を付加することでき、効率的な易断鑑定が行うことができる。
【００１８】
請求項５記載の発明によれば、依頼者は、他の利用目的のための設備（例えばレストラン等に設置された複合型の情報端末など）と兼用となったクライアント情報端末装置を利用するものであるから、更に手相等の情報をより精度の高い状態で撮影することができる。一方の鑑定者は、このような高精度の判定資料に基づきより正確に判定要素について判断が行え、質の高い易断鑑定を提供することができる。
【００１９】
請求項６記載の発明によれば、一般的に常に携帯することが多い携帯電話等の移動通信端末を利用するものであるから特別な装置を用意する必要がなく、利用者は、新たに本サービスを利用するための初期コストを負担する必要がない。
【００２０】
請求項７記載の発明によれば、易断鑑定を依頼する依頼者は、カラオケの順番を待つ間に、自身の手相等の身体に関する情報を撮影した映像を鑑定サイトに送信するものであるから、カラオケ設備が提供するアミューズメント形態を更に拡張し得る。
【００２１】
請求項８記載の発明によれば、依頼者は、アミューズメント施設に設置されているクライアント情報端末の判定資料送信ブースに備えられている高精度のカメラを用いることができるから、自身の手相等の情報を高精度の映像として鑑定サイトに送信することができる。また鑑定者は、高精度の判定資料に基づきより正確に判定要素について判断が行え、質の高い易断鑑定を提供することができる。
また易断鑑定結果の告知を受けるにあたっては、依頼者は、易断鑑定告知ブースに備えられている大型のモニタや立体表示ディスプレイなどに表示される映像により、より臨場感のある擬似的な対面告知を体感することができる。
【００２２】
請求項９記載の発明によれば、依頼者の属性を示す識別番号を判別するものであるから、この依頼者の趣味や好みなどの属性に応じて興味や魅力を感じる内容を提供することができ、依頼者の満足感を高めることが可能である。
【発明を実施するための最良の形態】
【００２３】
本発明を実施するための最良の形態は、以下述べる実施例をその一つとするものであると共に、この技術思想に基づく種々の改良をした実施例も含まれるものである。
【実施例】
【００２４】
まず、この遠隔型易断鑑定システムＳの構成を説明するに先立ち特許請求の範囲並びに以下の明細書中に用いられる主要な語句について説明する。
〔判定資料〕
この判定資料Ｐとは、図１に示すように易断鑑定を行う際にそれぞれの易断手法に応じた手掛かりと成り得る依頼者Ｌ特有の情報であって、例えば手相易断であっては手のひら面の画像情報の手相映像ｐ１であり、顔相易断であっては顔相映像ｐ２であり、耳相易断であっては耳相映像ｐ３である。更に姓名判断の場合には、姓名の漢字である文字情報の姓名情報ｐ４である。
〔判定要素〕
この判定要素ｆとは、図２に示すように判定資料Ｐから肉眼等により読み取る特徴点であって各易断手法に対応した観察するポイントである。具体的な判定要素ｆとしては、手相易断における手相判定要素ｆ１は、生命線等と呼ばれる手のひら面に現れるしわのそれぞれの形状や、それらの交差する位置やその角度や丘と呼ばれる手のひら上の凸部の形状などがあり、同様に顔相判定要素ｆ２や耳相判定要素ｆ３についても、構成する部位の形状や位置等が該当する。姓名判断における姓名判定要素ｆ４は、文字形式で送られてきた漢字の画数などが該当する。
〔視覚判定〕
この視覚判定とは、鑑定者Ｆが判定資料Ｐの各判定要素ｆについて直接肉眼観察し導き出した総合的な結果、並びに、鑑定者Ｆによるものと同等の判定が行えるコンピュータの解析に基づく擬似的な肉眼観察により導き出された結果も擬似的な視覚判定として含むものである。
なお、以下視覚判定と記述した場合は、これら両方の手法により導き出された結果を指し示すものであり、特にその両者を区別する必要がある場合には、コンピュータ解析によるものを「擬似的な視覚判定」と記述する。
〔易学判断〕
この易学判断とは、この視覚判定の内容に基づき、鑑定者Ｆの易学的な見識より導き出される易学的な判断である。具体的な易学判断の内容は、視覚判定の内容から推認され得る依頼者Ｌの心体の変化や周囲の環境の変化などである。なお、この易学判断と視覚判定との相関関係を体系的に集積したものが、後述する易学ナレッジデータベース２３である。
〔易断鑑定結果〕
この易断鑑定結果３とは、易学判断に応じて鑑定者Ｆが告知する具体的な内容である。この告知は依頼者サイトＳ１のクライアント情報端末装置５に表示されるものであって、告知映像３２と、その内容を画像情報として表示する静止画３２ａと、その内容を文字情報として表示する告知文字表示３３と、後述する付加情報３４とを合成したものである。
〔付加情報〕
この付加情報３４とは、視覚判定に基づいて導き出された易学判断に関連する周辺情報であって、具体的にはその内容を促進するもしくは回避するためのラッキーアイテムなどに関する情報に該当する。
【００２５】
以下遠隔型易断鑑定システムＳについて説明する。
図中符号Ｓで示すものが本発明の適用対象である遠隔型易断鑑定システムＳであり、この遠隔型易断鑑定システムＳを利用する依頼者Ｌ側の依頼者サイトＳ１とシステム運営者側の鑑定サイトＳ２とにより構成されるものである。
まずこの依頼者サイトＳ１は、クライアント情報端末装置５を具えており、一方の鑑定サイトＳ２は、少なくとも易断鑑定ブース１と、易断結果出力装置２とを具えているものである。なお課金管理システム４は、その種別によって依頼者サイトＳ１側、鑑定サイトＳ２側、それらを結ぶネットワークＮ側のいずれかの一つまたは幾つかにに属している。
【００２６】
初めに鑑定サイトＳ２側を構成する装置について説明する。
鑑定サイトＳ２の前記易断鑑定ブース１は、鑑定者Ｆが視覚判定を行うためのものであって、図１に示すように一例としてパーソナルコンピュータやワークステーション等の電子計算機（以下総称してコンピュータＣとして表す。）を用いた受信保存装置１０と、ディスプレイ装置１１と、視覚判定の補助するための判定補助デバイス１２と、視覚判定入力装置１５と、画像編集システム１６とを具えて構成されている。
ここで鑑定者Ｆは、最終的な易断鑑定の判断基礎となる依頼者Ｌの易学的な身体的特徴に関する判定要素ｆを正確に観察する能力を具えた者を指す。
次にこの受信保存装置１０について説明する。
このものは、インターネット等の電気通信網のネットワークＮに接続されているものであって、依頼者Ｌから送られてくる判定資料Ｐのデータや依頼の申し込みを受信し保存する機能を具えたもので、ネットワークインターフェイスと記憶装置（磁気ディスク、磁気テープ、光ディスク等）などを具えているものである。
またディスプレイ装置１１は、コンピュータＣ等を用いた画像処理機能を有したものであって、鑑定者Ｆに対して易学的な身体的特徴である判定要素ｆを正確に視認できるようにモニタＭに表示する機能を有するものである。またこのモニタＭには、より判定資料Ｐを立体的に認識できる立体表示ディスプレイ装置Ｍ′を用いることが好ましい。
更に、このディスプレイ装置１１は、鑑定者Ｆの肉眼による観察に基づく判定を補助するために判定補助デバイス１２が具えられている。このものは、具体的にはポインティングデバイスやモニタＭに取り付けられたタッチパネル１２ａが用いたものであって、モニタＭに映し出された映像に直接線画等を書き加える機能や、映像の階調等を変更する機能などを具えるものである。
【００２７】
また視覚判定入力装置１５は、鑑定者Ｆの下した視覚判定を後述する易断結果出力装置２に対して入力する装置であり、このものは、この入力作業を実現するためのプログラムと、これに用いるモニタＭやキーボードＫにより構成されている。
なお、鑑定者Ｆによる肉眼観察に代えてコンピュータＣを用いて擬似的な視覚判定を行う場合は、上述のディスプレイ装置１１や判定補助デバイス１２等は用いられずに、代わりに画像解析用プログラムが導入されているコンピュータ（図示は省略する）を、受信保存装置１０と視覚判定入力装置１５とに接続して設ける。
【００２８】
次に画像編集システム１６は、画像編集機能を有するコンピュータＣ等が適用されるものであり、ディスプレイ装置１１に表示された映像と、鑑定者Ｆが肉眼判定を行うにあたり判定補助デバイス１２を用いて付記した線画等の情報とを、告知時の所定のフォーマットに合わせて編集合成するためのものである。
以上のように本実施例は、それぞれの装置・システムごとに独立させた構成で易断鑑定ブース１が作られている形態を用いて説明しているが、これらのうち幾つかの構成・システムの機能を高性能なコンピュータＣに集約させることも差し支えない。
【００２９】
次に易断結果出力装置２について説明する。
この易断結果出力装置２は、視覚判定と易学判断とを結びつけるためのシステムであって、入力部２１と、この入力された判定に基づいて処理をする演算部２２と、易学ナレッジデータベース２３と、告知映像データベース２４と、付加情報データベース２４ａと、配信管理システム２５と、配信サーバ２６とにより構成されるものである。これらのものは、具体的には一例として高性能なコンピュータＣに機能構成ごとにモジュール化されたプログラムを組み込んだ形態を採っている。
【００３０】
まず入力部２１は、先に述べた視覚判定入力装置１５から入力された具体的なデータを受け容れるためのものである。また、この入力部２１に送られたデータに基づき演算部２２は、後述する易学ナレッジデータベース２３から易学判断を抽出する機能と、後述する告知映像データベース２４から所定の映像を抽出するなどの機能を備えている。
この易学ナレッジデータベース２３は、鑑定者Ｆがその易学に関する知識、経験則に基づいて、各易断手法の判定要素ｆごと（手相易断であれば、手のひら面のしわ等）の視覚判定と、易学判断との易学的な関係を分類し、カテゴリーを設けて体系的に編集したデータベースである。
またこのものは、鑑定者Ｆ本人の経験則に基づいて易断手法に応じて編集する場合のほかに、各易断手法ごとに、専門の複数の鑑定者Ｆにより編集されたものであってもよい。更に、この易学ナレッジデータベース２３の各易学判断は、このものを編集した鑑定者Ｆまたその編集に携わった鑑定者Ｆがその内容について訂正等が必要なときは随時更新する。
【００３１】
次に告知映像データベース２４は、易学ナレッジデータベース２３を構成する易学判断を解説するための鑑定者Ｆの実撮像を用いた告知映像３２を編集したものである。もちろん、映像（動画）のデータのほかにも、解説用のイラストデータの静止画３２ａや文字データの告知文字表示３３やなども含まれているものである。更に、これらに易学判断に関連する付加情報３４（ラッキ−アイテムやラッキーカラー等に関する情報）を、体系的に編集した付加情報データベース２４ａが具えられていることが好ましい。
なお、鑑定者Ｆの実撮像の動画に代えて、鑑定者Ｆのイメージをモチーフにしたキャラクターを用いたアニメーション形式の映像を告知映像３２とすることも可能である。
更に配信管理システム２５は、演算部２２により抽出された告知映像３２やその他データについて、その出力を管理するものである。また配信サーバ２６は、依頼者Ｌの配信要求があった時に、その要求に応じて告知映像３２等のデータについて配信を開始できるように、これらをスプールするための機能も併せて具えているものである。
【００３２】
次に、課金管理システム４について説明する。
このものは、従来から用いられている例えば有料情報提供サービス式課金システム（いわゆる「ダイヤルＱ２（登録商標）」）や、プリペイド式課金システムや、近年普及しつつある電子マネー決済システムなどの課金情報を管理運用するものであって、更に易断鑑定サービスの内容に応じた課金情報などを管理するものである。この課金管理システム４は、一例としてコンピュータＣに組み込まれたプログラムにより実現されるもので、このものは単独で機能するものほかに、通信事業者（東・西日本電信電話株式会社等）や決済を代行する事業者の所定のシステムと協働して機能する態様のものもある。
もちろんこれ以外にも、後述するが既存のクライアント情報端末機能付設備６などを利用する場合には、現金をその現金支払機４１に投入するなどによりサービス料金を支払うことも可能である。更には、今後普及されるであろう電子マネーによる決済や携帯情報端末（非接触型ＩＣカードなどを含む）を利用し電子マネーによる決済ができる電子マネー決済装置４２を利用した課金管理システム４も可能である。
なお、この易断鑑定ブース１と、易断結果出力装置２と、課金管理システム４とは、必ずしも同一の場所に設置する必要はなく、ネットワークを介して互いに接続関係にあればよいものである。
【００３３】
次に、遠隔型易断鑑定システムＳの依頼者Ｌ側である依頼者サイトＳ１のクライアント情報端末装置５について説明する。
まずこのものは、易断鑑定サービスを利用する依頼者Ｌが原則として操作する装置であってカメラ機能と通信機能とを具えたものである。具体的には、易断鑑定に必要な身体情報を映像として入力し遠隔型易断鑑定システムＳに送信するための画像入力送信装置５１と、鑑定サイトＳ２から易断鑑定結果３を受信するための鑑定結果受信装置５４との二つの装置を具えて構成されている。
【００３４】
まずこの画像入力送信装置５１は、依頼者Ｌの身体情報を立体認識できるように動画若しくは静止画の映像形式の情報として取り込み、その情報を送信する機能を有しているものである。
このものは一例として手持ちタイプの本体部にＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を用いたカメラ５２が組み込まれており、更にこのカメラ５２により撮影状況を確認するための液晶等を用いたディスプレイ部５２ａと、この撮影操作を行うための操作ボタン５２ｂと、このカメラ５２から取り込まれた映像データの取り込みと解析処理とを行う演算装置５２ｃと、これらの映像データを送信する送信モジュール５２ｄとにより構成されている。この送信モジュール５２ｄは、有線による接続形態のほか、無線による接続形態である「Ｂｌｕｅｔｏｏｔｈ」（登録商標）や、赤外線を用いたものや、いわゆる公衆無線ＬＡＮ環境に対応できるものを含むものである。
なお、この画像入力送信装置５１は、主に後述するクライアント情報端末機能付設備６を構成するために取り付けられるデバイスの一つであり、その詳細はクライアント情報端末機能付設備６について説明する際に、併せて説明する。
【００３５】
次に鑑定結果受信装置５４は、遠隔型易断鑑定システムＳから配信される易断鑑定結果３の告知データを受信表示する装置であって、既存のネットワークＮを通じて送られてくる映像等のデータをリアルタイムに表示するストリーミング再生機能や、記憶装置に一度保存してから再生表示する機能などを備えたものである。具体的には、パソコン等のコンピュータＣや、テレビ接続型インターネット端末（図示省略）、ＰＤＡ等がこれに該当する。
【００３６】
また画像情報通信装置５５は、画像入力送信装置５１と鑑定結果受信装置５４の双方の機能を併せ持ったもののである。具体的には、例えばカメラ機能付携帯電話５５ａや、カメラ機能付ＰＤＡ５５ｂや、カメラ機能付パソコン５５ｃなどが該当する。
また、鑑定結果受信装置５４や画像情報通信装置５５の表示画面には、その映し出される像を立体的であるかのように表示することができる立体表示ディスプレイ装置Ｍ′を用いることが好ましい。
【００３７】
なお以上述べたものが遠隔型易断鑑定システムＳに関わる主な構成装置であって、もちろんこのほかにも、ネットワークＮの環境を実現するための既存の関連機器（例えば図示を省略するがネットワークインターフェイスや中継機器等）が必要なことはいうまでもない。
【００３８】
以下、本発明の遠隔型易断鑑定システムＳの作動態様を易断鑑定サービスの提供過程ごとに分けて説明する。
なお説明にあたっては、図３に示すように依頼情報提供ステップｓ１、視覚判定ステップｓ２、易学判断ステップｓ３、易断鑑定結果配信ステップｓ４、課金ステップｓ５のステップに別けて説明する。また、この遠隔型易断鑑定システムＳを利用するにあたり、依頼者Ｌが用いる依頼者サイトＳ１のクライアント情報端末装置５は、身体情報などの判定資料Ｐを送信する際と、易断鑑定結果３の告知を受信する際とで同一のものを使用しても良いし、別々の機器を組み合わせて用いること可能である。また、サービスの受付を受理した旨の通知ｉ１や鑑定が完了した旨の通知ｉ２を受信する機器は、クライアント情報端末装置５と異なるもの（例えば職場などで使用する業務用パソコン等）であってもよい。
【００３９】
〔依頼情報提供ステップ〕
この依頼情報提供ステップｓ１は、図４に示すように依頼者サイトＳ１から易断鑑定サービスの申し込み手続きと鑑定に必要な情報を、遠隔型易断鑑定システムＳの鑑定サイトＳ２に送信する工程である。
まず初めに遠隔地（鑑定者Ｆと対面していない場所）である依頼者サイトＳ１の依頼者Ｌは、種々のクライアント情報端末装置５を操作して、遠隔型易断鑑定システムＳに対して易断鑑定サービスの申し込み手続きを行う。更に依頼者Ｌは、易断鑑定に必要な判定資料Ｐを、メール形式等によりネットワークを介して送信する。この判定資料Ｐは、原則として図１や図１１に示すように依頼者Ｌ自身がクライアント情報端末装置５を操作して手相映像ｐ１や顔相映像ｐ２や耳相映像ｐ３などを立体認識できるように撮影したものであって、この他にも依頼者Ｌが直接入力する姓名情報ｐ４や生年月日等の文字列情報がある。
またこの際に依頼者Ｌは、一例として図５（１）（２）に示す設定画面にしたがって、易断手法や鑑定内容である鑑定項目３０（例えば、金運、健康運、仕事運など）を選択し、更にその易断鑑定結果３の送信方法等を選択指定する。この送信方法とは、後述する易断鑑定結果配信ステップｓ４において易断鑑定結果３を、何時、どのような受信端末に向けて、どのようなデータ形式で送信するかなどを定めるものである。
一方、鑑定サイトＳ２の易断鑑定ブース１に具えられた受信保存装置１０は、この依頼者Ｌによる申し込み手続きを受信したのち、その申し込みを受けたことを示す整理番号やパスワードを記した通知ｉ１を、依頼者Ｌのクライアント情報端末装置５や依頼者サイトＳ１側の指定された情報端末に送信することが好ましい。
【００４０】
〔視覚判定ステップ〕
この視覚判定ステップｓ２は、依頼者Ｌから提供された判定資料Ｐに基づいて専門家である鑑定者Ｆが肉眼等により身体情報等の判定要素ｆを観察判定するステップである。
まず、図２に示すように易断鑑定ブース１内の受信保存装置１０に保存されている判定資料Ｐは、ディスプレイ装置１１により、鑑定者Ｆが立体的に視認できる映像としてモニタＭに映し出される。
鑑定者Ｆは、図２（１）（２）（３）に示すように、この映し出された判定資料Ｐである手相映像ｐ１や顔相映像ｐ２や耳相映像ｐ３に基づいて、各映像として映し出されている判定資料Ｐごとに所定の判定要素ｆを判定する。
このように鑑定者Ｆは、映像からあたかも対面して観察したかのように各要素について詳しく求めなくてはならないため、この肉眼判定をより正確にできるように依頼者Ｌから送られてくる判定資料Ｐは、一方向から撮影された映像のみでなく複数方向から撮影されたものや動画形式の映像が好ましい。
もちろん、鑑定者Ｆは、判定を補助する一例としてタッチパネル１２ａなどを使って、直接これら映像に手を加えて肉眼判定を行いやすくする判定補助デバイス１２を用いることも可能であり、この映像は、易断鑑定結果３の静止画３２ａとして用いることも可能である。
更に鑑定者Ｆは、映像等から求めた各判定要素ｆについてのデータを図２に示したような入力画面を用いて入力する。この入力されたデータは、ネットワークを介して後述する易学判断ステップｓ３へ送られる。
また姓名判断による易断の場合には、一例として図２（４）のような画面によりその姓名情報ｐ４から姓名判定要素ｆ４が求められ、その情報は、易学判断ステップｓ３に送信される。
なおコンピュータ解析を用いた擬似的な視覚判定である場合においては、まず解析用コンピュータ（図示を省略する）は、接続されている受信保存装置１０から依頼者Ｌから送信された判定資料Ｐのデータと鑑定内容とを受け取り、これらの情報に基づき判定要素ｆについて解析し擬似的な視覚判定を導き出す。この擬似的な視覚判定の結果と、これを導くために用いられた中間データ（判定資料Ｐに線画等が付加されて、最終的に静止画３２ａとなるもの）とは、次の視覚判定入力装置１５に送信される。なおこの擬似的な視覚判定を行う場合には、その判定精度を維持するために、依頼者Ｌから送られる判定資料Ｐは動画形式による高画質の映像が好ましい。
【００４１】
〔易学判断抽出ステップ〕
この易学判断抽出ステップｓ３は、図７に示すように易断結果出力装置２の演算部２２が鑑定者Ｆ等により求められた判定要素ｆ（手相判定要素ｆ１、顔相判定要素ｆ２、耳相判定要素ｆ３）の視覚判定と、更に依頼者Ｌが鑑定手法として姓名判断などを選択した場合には、この姓名情報ｐ４から得られた姓名判定要素ｆ４（総画などの要素）とに基づいて、易学ナレッジデータベース２３から対応した易学判断を抽出するものである。
まず演算部２２は、依頼情報提供ステップｓ１で提供された鑑定項目３０と、視覚判定ステップｓ２における判定要素ｆの視覚判定との組み合せに基づいて適した易学判断を抽出し、更に演算部２２は、この結果に基づき告知映像データベース２４から対応した告知映像３２を抽出する。
更にまた演算部２２は、この易学判断を付加情報データベース２４ａに送信し、この易学判断に関連する付加情報３４を抽出する。
【００４２】
〔易断鑑定結果配信ステップ〕
この易断鑑定結果配信ステップｓ４は、図８、図９、図１０に示すように依頼者Ｌに対して易断鑑定結果３の告知を行うためのものである。
まず、図８に示すように易断結果出力装置２の配信管理システム２５は、この易断鑑定結果３の告知データを、配信サーバ２６に依頼ごとに分類し保存させ、依頼者Ｌから配信の要請があって初めてそれに応じて配信ができるように体系的に管理する。なおこの配信形式は、ストリーミング手法や、動画形式のファイルとして依頼者Ｌ側の情報端末に一端保存してから再生する手法などを適宜に用いる。
その後配信管理システム２５は、依頼者Ｌが指定した情報端末に対して易断鑑定が完了した旨の通知ｉ２（一般には電子メール機能を用いる）を送信する。
この通知ｉ２には、併せて一例としてＵＲＬ（Ｕｎｉｆｏｒｍ  Ｒｅｓｏｕｒｃｅ  Ｌｏｃａｔｉｏｎ）の形式とした識別標３１（依頼ごとを区別するための表示）が記述されており、依頼者Ｌは、このＵＲＬに依頼者サイトＳ１側の携帯電話やネットワークに接続されたパソコン等の鑑定結果受信装置５４を用いて接続する。一方の配信管理システム２５は、この識別標３１を含むＵＲＬに対して接続要求があったことを認知すると、この識別標３１に応じた易断鑑定結果３の告知データを配信サーバ２６から送信するように指令する。
結果として、依頼者Ｌのみが自己の易断鑑定結果３の告知データを受信できる。
更にこの告知データを構成する鑑定者Ｆの実撮像の動画データ（音声やテロップ等の文字情報を含む）は、そのままのデータファイルとして保存すること可能であり、また告知の際に用いられた手相などを表した静止画３２ａや易断鑑定結果３を示す表など文字情報については、紙などにプリントアウトすることが可能であり、更にその印刷したものは、後日依頼者Ｌ宛てに郵送するサービスを付加することも差し支えない。
【００４３】
また図９に示すように、指定された電子メールのアドレスに宛てて、この易断鑑定結果３を示す告知データを添付して送信する手法により、告知データを配信することも可能である。この場合は、依頼者Ｌは、予め指定した電子メールのメールサーバに対してメールの受信要求をすることにより、告知データを得ることができる。なおこの電子メールの配信方法には、一般的に用いられているコンピュータＣの電子メール方式のほかに、携帯電話サービスの事業者ごとに設けられている固有のメール機能や配信する機能を用いた方式を用いることも可能である。
もちろんこのようなインターネット網を利用する以外にも、図１０に示すようにいわゆるテレビ電話を利用して直接配信サーバ２６に接続されたＴＶ電話配信サーバやダイアルアップサーバに対して電話接続し、これらから易断鑑定結果３をテレビ電話の通話形式をとりながら受信する手法もとり得るものである。
なおセキュリティの観点から、依頼情報提供ステップｓ１で申し込み手続きの受け付けた旨の通知ｉ１にパスワードなどを付記しておき、告知を受ける際にこのパスワードを入力させることも好ましい。
【００４４】
〔課金ステップ〕
この課金ステップｓ５は、本発明の遠隔型易断鑑定システムＳの提供方法や易断鑑定結果３の送信方法によってそのステップの順序も異なるものであるが、易断鑑定サービスの利用料を請求管理するものである。主な手法としては、既存の有料情報サービス式課金システムやプリペイドカード式課金システムや電子マネーを利用した決済システムなどを利用したものがあり、以下それぞれの手法に応じた課金ステップｓ５を簡単に説明する。
（１）有料情報サービス式課金システムを利用した場合
この有料情報サービス式課金システムを利用する場合としては、一例としてはカメラ機能付携帯電話５５ａを用いて、テレビ電話サービスを利用して判定資料Ｐを遠隔型易断鑑定システムＳに送信し、更にカメラ機能付携帯電話５５ａを用いて、その易断鑑定結果３を受信するような場合がある。この場合依頼者Ｌは、単に鑑定サイトＳ２側の有料情報サービスを提供する形式の電話番号（通信料のほかに情報料金が発生する番号）に接続するだけで、特段の操作を行う必要とせずに、この易断鑑定サービスの利用料を支払うことができる。
一方の有料情報サービス式課金システムは、依頼者Ｌが用いているカメラ機能付携帯電話５５ａの回線事業者に対して情報料金として利用料を請求し、この回線業者が依頼者Ｌに対して情報料金として代行して利用料を徴収するものである。
このような電話回線をつないだ上で、この通話料金に加えて情報料金を請求する方法のほかにも、例えば予め有料の会員制情報提供サイトに登録し、利用回数に応じて後日請求がされる方法も可能である。この場合有料情報サービス式課金システムは、その依頼者Ｌとその利用回数などを管理する機能を具える。
【００４５】
（２）プリペイドカード式課金システムを利用した場合
このプリペイドカード式課金システムを利用する課金ステップｓ５とは、本発明のサービスを受ける際に、予めサービスの利用料金に相当する金額でチケットを購入しておくものである。
まずこのプリペイドカード式課金システムは、予め易断鑑定サービスの種別に応じた利用料金に定められたプリペイドカードを発行管理する。このプリペイドカードは、各種の小売店や飲食店に商品として陳列され、利用者である依頼者Ｌは、このものを商品として購入し、その後このプリペイドカードに表示されているいわゆる識別番号とパスワードをサービス提供際に入力することにより利用料金の支払が完了したことを通知する。一方のプリペイドカード式課金システムは、この入力内容を確認しその内容に対応した易断鑑定サービスの提供を開始させる命令を発する。
（３）その他の課金システムを利用した場合
もちろん、現金をその現金支払機４１に投入するなどによりサービス料金を支払うことや、電子マネーによる決済ができる電子マネー決済装置４２を利用することもできる。
なお利用料金は、一例として鑑定手法の数や、鑑定する内容（鑑定項目３０）や、その配信手法などにより増減されるものである。
【００４６】
〔他の実施の形態〕
本発明は以上述べた実施の形態を一つの基本的な技術思想とするものであるが、更に次のような改変が考えられる。
ここまで述べてきた実施例は、依頼者Ｌが所有するクライアント情報端末装置５を用いて易断鑑定サービスを利用したものを説明してきたが、以下公衆に解放されている設備を利用した易断鑑定サービスの提供例を挙げながら他の実施の形態を説明する。
【００４７】
〔１．カラオケの設備を利用した易断鑑定サービス〕
この提供形態は、図１２に示すように個室ごと通信カラオケを具えてカラオケサービスを提供するいわゆるカラオケボックスで行うものである。
まずこの通信カラオケ設備６１は、図１１に示すような入力デバイス５１ａを接続されたものであって、もともと具わっている映像を受信する機能と併せて画像情報通信装置５５として機能するものである。
具体的な利用方法は、まず歌唱していない待ち状態にある利用者が、備え付けられている入力デバイス５１ａを用いて易断鑑定の依頼手続きと各種の判定資料Ｐをこの待ち時間中に鑑定サイトＳ２に送信しておく。その後、易断鑑定完了の通知ｉ２が通信カラオケ設備６１や携帯電話等に送られ、通信カラオケ設備６１のモニタＭに鑑定サイトＳ２からの易断鑑定結果３の告知が表示されるものである。この告知が開始される時期は、依頼者Ｌの希望に応じて、例えば歌唱中の曲が終了して、次の曲が開始される間に割り込むようにしてよいし、更にはテレビ放送で用いられる速報ニュースのテロップのように、歌唱中であっても曲を中断して告知の表示が始まるようにしても差し支えない。
この場合における課金管理システム４の一例としては、紙幣硬貨を投入する現金支払機４１や、電子マネー決済装置４２を別途設けるものがある。
【００４８】
〔２．飲食店の設置された通信網を利用した易断鑑定サービス〕
この提供形態は、無線オーダーシステムの一部に、カメラ機能付テーブルウェア５３とインターネット接続装置（オーダー管理システムなど）とを組み合わせて画像入力送信装置５１として利用するものである。
まず、図１１、１３に示すように、この画像入力機能を具えたカメラ機能付テーブルウェア５３が、フロアの各テーブルやカウンターごとに設けられており、依頼者Ｌは、飲食物を注文し配膳されてくる間の待ち時間に、このカメラ機能付テーブルウェア５３を用いて易断鑑定サービスの依頼と判定資料Ｐを鑑定サイトＳ２に送信する。その後、好ましくは食事が終了するまでの間に、依頼者Ｌの指定した情報端末に対して通知ｉ２を行い、依頼者Ｌは、この通知ｉ２に従い易断鑑定結果３の告知を見ることができる。もちろん、この告知はこのカメラ機能付テーブルウェア５３を用いてその場で表示することもできるほか、他の携帯電話の鑑定結果受信装置５４を用いて食後に別の場所で表示させることも可能である。
この場合の課金方法は、前述したプリペイドカードを購入する方法や、現金や電子マネーにて支払う方法などが適用できる。もちろん、このオーダーシステムと連動して飲食代金に併せてこのサービス料金も算入されて支払うようにしてもよい。
更に、近年普及しつつある公衆無線ＬＡＮシステム（いわゆるホットスポット（登録商標））を利用して、喫茶店やファーストフード店などの店内に、上述した虫眼鏡のような入力デバイス５１ａのみのような形状をした簡易なカメラ機能付テーブルウェア（図示省略）を設けて、易断鑑定サービスの申し込み手続きと判定資料Ｐの撮影送信のみを行えるようにしたものが用いることも可能である。この場合依頼者Ｌは、指定した携帯電話等の鑑定結果受信装置５４を用いて易断鑑定結果３の告知を受ける。
【００４９】
〔３．写真シールプリント装置を利用した易断鑑定サービス〕
この提供形態は、アミューズメント施設等に備え付けられている写真シールプリント装置（図示省略）を用いて行うものである。
まずネットワーク機能を具えた写真シールプリント装置は、画像入力送信装置５１としてのみ機能する。依頼者Ｌは、この装置を操作して判定資料Ｐ送信し易断鑑定サービスの依頼をする。この際、易断鑑定結果３の送信方法は、主に依頼者Ｌが所有するパソコンや携帯電話等に対して送信する手法を用いる。
このような公衆用設備を利用しサービス提供を申し込みと判定資料Ｐの送信にみを行い提供形態としては、このほかにも大規模商業施設等に備え付けられている簡易型証明写真撮影装置や、コンビニエンスストアに設けられたコンビニエンスストア用複合型情報端末を用いて行うものがある。この場合、個人が所有するクライアント情報端末装置５に比べて高画質の判定資料Ｐを送信することが可能となる。
また、特にカップルなどが写真シールプリント装置を利用する際に、併せて二人の撮影された映像をそのまま利用し、顔相易断により互いの相性についての易断鑑定を行う機能等を付加することができ、従来の写真シールプリント装置との差別化を図ることが可能である。
【００５０】
〔４．専用に設計された易断鑑定提供装置を利用した易断鑑定サービス〕
この提供形態は、図１４に示すように写真シールプリント装置のように一例として、アミューズメント施設等に備え付けられた業務用ゲーム設備を本発明のクライアント情報端末装置５として利用するものである。
まず本発明のクライアント情報端末装置５として専用に設計された業務用ゲーム設備である易断鑑定提供装置６２は、画像入力送信装置５１と鑑定結果受信装置５４との双方の機能具えた画像情報通信装置５５である。このものは、一例として図１４（１）に示すように角枠状の筐体に対して対向する２面の一面には、易断鑑定の依頼手続きと判定資料Ｐの送信とを行うためのキーボードＫやカメラ５２のユニットが具えられた判定資料送信ブース６２ａが設けられており、もう一方の面には図１４（２）に示すように易断鑑定結果３の告知を受けるためモニタＭとスピーカー（ヘッドフォン式のものも含む）とが具えられた易断鑑定告知ブース６２ｂが設けられている。
この易断鑑定提供装置６２の使用方法について説明すると、まず依頼者Ｌは、一の面に設けられた判定資料送信ブ−ス６２ａに入り、設けられているカメラ５２を（本装置の操作支持案内にしたがって）操作して所定の身体的特徴を撮影し、遠隔型易断鑑定システムＳの鑑定サイトＳ２にその情報を送信する。この際、一例として受任完了を示す通知ｉ１であるレシートが発行される、更にこのレシートには、おおよその易断鑑定の完了時間と特定するための整理番号を記すことが好ましい。もちろんこのレシートの発行に併せて、同じ内容を依頼者Ｌの所有する携帯電話等に電子メールを送信して通知することも差し支えない。
【００５１】
その後依頼者Ｌは、このレシート（電子メール機能による通知を含む）に記載された時間以降に易断鑑定提供装置６２の易断鑑定告知ブース６２ｂに入り、整理番号を入力して易断鑑定結果３の告知を受ける。この際、先ほど送信した判定資料Ｐに鑑定者Ｆが判定した判定結果が書き加えられた映像の静止画３２ｂと、鑑定者Ｆ自身の写した告知映像３２とをモニタＭに表示しながらあたかも対面告知されているような状況のもとで告知が行われる。この際、その告知内容が外部の者に聞き取られることがないようにヘッドフォン式スピーカーを用いることや、臨場感を増すようにモニタＭとして大型ディスプレイ装置や立体表示ディスプレイ装置Ｍ′を用いることが好ましい。またこの易断鑑定結果３の概要を記したものを、印刷したものを利用者に提供することも差し支えない。
【００５２】
更に、これ以外にもこの易断鑑定提供装置６２の易断鑑定告知ブース６２ｂと取り除き、この易断鑑定提供装置６２の一面もしくは２面に判定資料送信ブ−ス６２ａを具えたものを用いて、依頼者Ｌの判定資料Ｐのみの送信を行うだけのものとすることも可能である。この場合、依頼者Ｌは、この易断鑑定提供装置６２利用することにより精度高い判定資料Ｐを遠隔型易断鑑定システムＳの易断鑑定ブース１に送信することができる。その後の得られた易断鑑定結果３については、自己の所有する鑑定結果受信装置５４のひとつである携帯電話やパソコン等を用いて、事前に通知されているＵＲＬ等にアクセスし告知を受けるようにすることも可能である。また、このように専用に設計された装置を用いる場合には、更に映像・文字の以外の判定資料Ｐを付加させることができる。新たな判定資料Ｐとしては、例えば種々のセンサを用いて心拍数や、手のひら面の温度や、手のひらの柔らかさ硬さなどを含めることができる。
【００５３】
〔対面形式により近い易断鑑定サービスを提供するための改変〕
またここまで述べてきた実施例は、依頼者Ｌが遠隔型易断鑑定システムＳの鑑定サイトＳ２に対して判定資料Ｐを送信し、これに対して遠隔型易断鑑定システムＳが易断鑑定結果３の告知を行う双方一回ずつのやり取りを行うモデルを説明してきたが、更に双方向性を高め対面形式の易断鑑定サービスを受けているかのような質の高い易断鑑定を行うようにしたものである。
具体的には、上述したやり取りに加えて依頼者Ｌは、更に送信されてきた易断鑑定結果３の内容を確認した上で、別の鑑定項目３０等を追加指定し遠隔型易断鑑定システムＳの鑑定サイトＳ２に送信する、これに対して遠隔型易断鑑定システムＳは、先に行った視覚判定に基づいて再度指定された鑑定項目３０について鑑定し、依頼者Ｌに再告知を行うようにしたものである。
【００５４】
〔他の情報媒体Ｂと連動した易断鑑定サービスを提供するための改変〕
また、これまでは鑑定項目３０などのサービス内容については図５に示すような予め選択できるようにされていたが、更に鑑定内容の設定画面にて特定の識別番号を入力することによりはじめて選択できるようにした特別な易断鑑定サービスを提供できるような遠隔型易断鑑定システムＳにしてもよい。
具体的には、週刊誌等の情報媒体Ｂ（電子メールを用いたものを含む）に、本発明の遠隔型易断鑑定システムＳと連動した記事などを掲載し、併せて特別な識別番号を付しておく。
これらの読者である依頼者Ｌは、遠隔型易断鑑定システムＳへ鑑定内容を送信する際にこの識別番号ｂ１（スペシャルナンバー）を入力すると、遠隔型易断鑑定システムＳは、これに対応して通常では選択することができなかった鑑定項目３０が表示するなどして、依頼者Ｌの属性（どの情報媒体Ｂの利用者（読者）なのか等の属性）に応じたサービスを区別しながら提供することができるようにしてもよい。
例えば旅行雑誌と連動する場合には、遠隔型易断鑑定システムＳは、旅行雑誌に記載されている識別番号ｂ１（スペシャルナンバー）を入力することにより利用者層を限定し、旅行に関する占い（どこの方位の観光地が良いとか、誰と一緒に行くのが良いか）などのより詳細事項についての易断鑑定結果３を提供することができる。
また一方の利用者は、この易断鑑定結果３の助言に基づき、易学的な観点から良いとされる旅行内容のプランをこの旅行雑誌などからみつけることができる。もちろんこのような雑誌は、本発明の遠隔型易断鑑定システムＳとの連動により更に付加価値が具えられ他者のものとの差別化を図ることができる利点がある。
他にもイベント情報雑誌であればイベントの日時場所や一緒に行く相手などに特化した占いが適用でき、不動産情報紙であれば引っ越す場所や部屋の向きなどに特化した占いが適用でき、ファッション系雑誌であればその日や週に身につけておきたい色やその組み合せや健康運などに関する占いについて適用できる。
もちろんこの識別番号の利用期間に制限を持たせておくことも可能であり、このために利用者に対して、ピンポイント的な季節に関連する内容（クリスマスやバレンタインデー等のイベント）に特化して易断鑑定サービスを提供することもできる。
一方読者は、その特化した内容について易断鑑定を希望する場合に、この関連する雑誌等をその都度購入する必要が生じる。このため出版業者は、季節ごとのこの遠隔型易断鑑定システムＳと連動する特集を組むことで読者の獲得が効率的に行える。
また更に、この依頼者の属性に示す識別番号は、例えば予めアンケート等で依頼者の好み等を調査しておきその内容を数字や記号等で表記したものを用いることも差し支えない。この場合は、依頼者Ｌについての過去の易断鑑定の依頼やその易断鑑定結果などの情報も併せて管理しておき、これらの情報に対応して最適な易断鑑定サービスを提供できるようにすることも好ましい。
また依頼者の属性としては、 雑誌等の読者というものに限定されるものではなく、他の目的のメンバーシステム（例えばビデオレンタルの会員や、フィットネスクラブの会員など）といった属性とも連動し得るものである。
【図面の簡単な説明】
【００５５】
【図１】本発明の遠隔型易断鑑定システムの構成を示すブロック図である。
【図２】本発明の遠隔型易断鑑定システムを示すものであって、（１）は易断鑑定ブース内で行われる視覚判定の様子を示す斜視図であり、（２）（３）（４）は、それぞれの鑑定手法に応じた判定資料とその判定要素を表す視覚判定の際の画面映像を示した図である。
【図３】本発明の遠隔型易断鑑定システムの作用概要を示すフローチャートである。
【図４】本発明の遠隔型易断鑑定システムの依頼情報提供ステップを示すフローチャートである。
【図５】本発明の遠隔型易断鑑定システムを示すものであって、（１）は本発明により提供される易断鑑定サービスの依頼内容を入力する画面を示す図であり、（２）は判定資料の一部を入力する画面を示す図である。
【図６】本発明の遠隔型易断鑑定システムの視覚判定ステップを示すフローチャートである。
【図７】本発明の遠隔型易断鑑定システムの易学判定ステップを示すフローチャートである。
【図８】本発明の遠隔型易断鑑定システムの易断鑑定結果配信ステップの前段部を示すフローチャートと（アクセス用）インデックスのみによる通知を希望した場合を示すフローチャートである。
【図９】動画メールを用いて易断鑑定結果を告知する場合の易断鑑定結果配信ステップの後段部を示すフローチャートである。
【図１０】テレビ電話を用いて易断鑑定結果を告知する場合の易断鑑定結果配信ステップの後段部を示すフローチャートである。
【図１１】本発明の遠隔型易断鑑定システムを利用する場合に用いられるクライアント情報端末装置と、その一部である画像入力送信装置を示した斜視図である。
【図１２】本発明の遠隔型易断鑑定システムを利用する場合に用いられるクライアント情報端末装置の一例である通信カラオケ設備と、このものを利用している状態を示した斜視図である。
【図１３】本発明の遠隔型易断鑑定システムを利用する場合に用いられるクライアント情報端末装置の一例であるカメラ機能付テーブルウェアと、このものを利用している状態を示した斜視図である。
【図１４】本発明の遠隔型易断鑑定システムを利用する場合に用いられるクライアント情報端末装置の一例であるアミューズメント用の易断鑑定提供装置と、このものを利用している状態を示した斜視図である。
【図１５】他の情報媒体と本発明の遠隔型易断鑑定システムとを連携したものを示すものであって、（１）はその情報媒体の一例を示す図であり、（２）はその情報媒体に記されている識別番号を入力する画面を示したものであり、（３）は入力された識別番号に応じた易断鑑定サービスの鑑定内容を表示した画面を示す図である。
【符号の説明】
【００５６】
１        易断鑑定ブース
１０      受信保存装置
１１      ディスプレイ装置
１２      判定補助デバイス
１２ａ    タッチパネル
１５      視覚判定入力装置
１６      画像編集システム
２        易断結果出力装置
２１      入力部
２２      演算部
２３      易学ナレッジデータベース
２４      告知映像データベース
２４ａ    付加情報データベース
２５      配信管理システム
２６      配信サーバ
３        易断鑑定結果
３０      鑑定項目
３１      識別標
３２      告知映像
３２ａ    静止画
３３      告知文字表示
３４      付加情報
４        課金管理システム
４１      現金支払機
４２      電子マネー決済装置
５        クライアント情報端末装置
５１      画像入力送信装置
５１ａ    入力デバイス
５２      カメラ
５２ａ    ディスプレイ部
５２ｂ    操作ボタン
５２ｃ    演算装置
５２ｄ    送信モジュール
５３      カメラ機能付テーブルウェア
５４      鑑定結果受信装置
５５      画像情報通信装置
５５ａ    カメラ機能付携帯電話
５５ｂ    ＰＤＡ
５５ｃ    カメラ機能付パソコン
６        クライアント情報端末機能付設備
６１      通信カラオケ設備
６２      易断鑑定提供装置
Ｂ        情報媒体
ｂ１      識別番号
Ｃ        コンピュータ
Ｆ        鑑定者
ｆ        判定要素
ｆ１      手相判定要素
ｆ２      顔相判定要素
ｆ３      耳相判定要素
ｆ４      姓名判定要素
ｉ１      通知（受任完了通知）
ｉ２      通知（易断鑑定完了通知）
Ｋ        キーボード
Ｍ        モニタ
Ｍ′      立体表示ディスプレイ装置
Ｌ        依頼者
Ｐ        判定資料
ｐ１      手相映像
ｐ２      顔相映像
ｐ３      耳相映像
ｐ４      姓名情報
Ｓ        遠隔型易断鑑定システム
Ｓ１      依頼者サイト
Ｓ２      鑑定サイト
ｓ１      依頼情報提供ステップ
ｓ２      視覚判定ステップ
ｓ３      易学判断ステップ
ｓ４      易断鑑定結果配信ステップ
ｓ５      課金ステップ
【図１】
2006127286.tif 000003
【図２】
2006127286.tif 000004
【図３】
2006127286.tif 000005
【図４】
2006127286.tif 000006
【図５】
2006127286.tif 000007
【図６】
2006127286.tif 000008
【図７】
2006127286.tif 000009
【図８】
2006127286.tif 000010
【図９】
2006127286.tif 000011
【図１０】
2006127286.tif 000012
【図１１】
2006127286.tif 000013
【図１２】
2006127286.tif 000014
【図１３】
2006127286.tif 000015
【図１４】
2006127286.tif 000016
【図１５】
2006127286.tif 000017